(57)【要約】【課題】従来、塀瓦の塀受に設けた笠木止りを笠木に嵌込む構成である。塀受又は笠木止りが歪みにより、変形、縮み・拡大した場合はガタつき、傾きが発生し易い。しっくりした嵌合い関係の形成が確保できない。塀瓦の整然とした葺き上げが困難視される。変形、縮み・拡大が酷い場合には、嵌合い関係が不可能となる。【構成】紐付き丸瓦部に設けたのし瓦部及び面戸部と、丸瓦部の両軒先側に斜設した棧山付き万十軒瓦部とで形成した塀瓦であり、丸瓦部、のし瓦部、面戸部の長手方向の端部に、垂木安定凹部を備えた垂木受けを形成し、丸瓦部の長手方向の紐側に、垂木安定凹部を備えた垂木受けを設け、紐側に設けた垂木受けを丸瓦部の紐のつけ根に形成する構成である。垂木受け部を塀瓦の丸瓦部とのし瓦部の長手方向の両端側に設けて、成形、焼成の際に丸瓦部、垂木受け部の変形防止を図り、施工時に垂木安定凹部と垂木との嵌合い関係の平衡性を確保できる。【選択図】    図１
2004244904.tif 000002
【特許請求の範囲】
【請求項１】
紐を有する丸瓦部の両下方側に設けたのし瓦部及び面戸部と、この丸瓦部の両軒先側に傾斜して設けた棧山を有する万十軒瓦部とで形成した塀瓦であって、
この丸瓦部及びのし瓦部及び面戸部の長手方向の紐側端部に、垂木安定凹部を具えた垂木受けを形成し、またこの丸瓦部及びのし瓦部及び面戸部の長手方向の他方端部に、垂木安定凹部を具えた垂木受けを形成し、前記紐及び紐に連設する棧山の裏側に他方端部の丸瓦部及びのし瓦部及び面戸部及び万十軒瓦部が嵌り込む構成としたことを特徴とするきき幅調整を可能とした塀瓦。
【請求項２】
請求項１に記載の垂木安定凹部に、略平坦な底部と、この底部の略中心に略アーチ形の逃がし部を形成したことを特徴とするきき幅調整可能とした塀瓦。
【発明の詳細な説明】
【０００１】
【発明の属する技術分野】
本発明は、きき幅調整可能とした塀瓦に関する。
【０００２】
【従来の技術】
従来、この種の瓦に関する技術文献としては、（１）実開昭５８−３２８２６号の笠木瓦（文献１）、（２）実開昭５９−３８３１７号の塀かわら（文献２）、（３）特開２０００−１９９３０１の平瓦及びそれを使用した本瓦葺屋根構造（文献３）等があり、以下その概要を説明する。
【０００３】
文献（１）は、棟部に用いる飾り瓦（塀瓦）で、紐丸瓦、のし瓦及び軒瓦を一体化し、内側に塀受けと笠木止りを倒凹形に形成し、紐丸瓦の紐側を隣接する飾り瓦の反紐側に重ね合わせる構造である。
【０００４】
また文献（２）は、紐丸瓦と軒瓦とを一体に形成し、前記紐丸瓦及び軒瓦の下方に水切り部を形成した構成であって、この水切り部をブロック塀の上面を跨がせる（載架する）構造が開示されている。また紐丸瓦と軒瓦の前端縁に凹溝を備えた覆蓋突起を、また紐丸瓦と軒瓦の後端縁に接続凹溝を備えた一段低くなった突条を、それぞれ設けた構成であり、この覆蓋突起と接続凹溝とを重ね合わせ可能とした構造である。
【０００５】
文献（３）は、断面円弧状の丸瓦本体の尻側に設けられた玉縁部と、この玉縁部の裏面に固定棒材が嵌り込む嵌合凹部とをそれぞれ形成した丸瓦であって、この丸瓦本体の尻側に設けられた玉縁部が、他の丸瓦本体の頭側内方に嵌り込む構造である。
【０００６】
【発明が解決しようとする課題】
文献（１）の例は、塀瓦の塀受けに設けられた笠木止りを、笠木に嵌込む構成であり、塀受及び／又は笠木止りの歪み、或は笠木自体の変形等を要因とする塀瓦相互間の整合性、笠木との安定性に問題が生ずる。また図例では、笠木止りが塀瓦の長手方向に少なくとも３か所以上設けられており、笠木止りの脚長の不揃い、笠木の歪み等によるガタつきは避けられない。さらに笠木受けの受け面は平坦な構成であり、笠木との親和性に疑問が残る。そして、この文献（１）は、塀受け及び／又は笠木止りの形状が複雑であり、製造工程における歩留まりの問題、施工に熟練した技能を必要とする課題が考えられる。
【０００７】
また文献（２）の例は、塀瓦の紐丸の裏面に窪み部を形成し、この窪み部の縁を、垂木受け片として利用するものと考えられる。しかし、この垂木受け片は、正面視して、略湾曲形状を呈することから、ブロック塀の上面に接触して葺設するには適する。しかし、この形状では、垂木に載架するには問題がある。そして、この文献（２）では、重なり構成において突条に覆蓋突起端面を接続する構造であり、きき幅調整の配慮がみられない。
【０００８】
文献（３）の例は、本瓦葺き用の丸瓦であって、この丸瓦の玉縁部に嵌合凹部を形成し、この嵌合凹部に縦棧木を嵌合する構成である。この例は、縦棧木嵌合凹部は尻側の玉縁裏１か所に限定され、塀瓦として施工に際して、長手方向（棟方向）の水平確保に問題が残る。
【０００９】
【課題を解決するための手段】
請求項１の発明は、垂木受けを塀瓦の丸瓦部と、のし瓦部の長手方向の両側に設ける構成を採用して、成形、乾燥、焼成等に際し、丸瓦部、万十軒瓦部等の歪み、変形の防止を図ること、また長手方向両端の垂木受けは垂木の２か所に嵌合（係止）され、水平度を安定的に確保すること等を意図する。また垂木受けに、略平坦な底部（底部とする）を有する垂木安定凹部を備え、垂木との安定的嵌合を図り、軒先方向のグラつき防止を意図する。また請求項１は、丸瓦部の紐側に形成した垂木受けを紐側端より所定寸法分内方に配置（所謂中付け構成）し、反紐側端部との重なり長さを調整可能となる構成とし、施工時のきき幅調整の便を意図する。さらに、請求項１ではのし瓦部及び面戸部の長手方向に段付き模様を形成し、のし瓦積みの雰囲気を醸成し、施工後の美観、重厚感、瀟洒な感覚を確保することを意図する。
【００１０】
請求項１は、紐を有する丸瓦部の両下方側に設けたのし瓦部及び面戸部と、この丸瓦部の両軒先側に傾斜して設けた棧山を有する万十軒瓦部とで形成した塀瓦であって、
この丸瓦部及びのし瓦部及び面戸部の長手方向の紐側端部に、垂木安定凹部を具えた垂木受けを形成し、またこの丸瓦部及びのし瓦部及び面戸部の長手方向の他方端部に、垂木安定凹部を具えた垂木受けを形成し、前記紐及び紐に連設する棧山の裏側に他方端部の丸瓦部及びのし瓦部及び面戸部及び万十軒瓦部が嵌り込む構成としたことを特徴とするきき幅調整を可能とした塀瓦である。
【００１１】
請求項２の発明は、請求項１の目的を達成すること、また垂木安定凹部を、平坦な底部と、略アーチ形の逃がし部とで構成し、当該垂木安定凹部に少々の変形、縮み・拡大等した場合においても、垂木の円滑な挿入を図り、当該垂木安定凹部の底部の両角に衝止する二点支持を介して塀瓦のガタつき、傾き等を解消すること、またしっくりした嵌合い関係を確保すること、又は塀瓦の整然とした葺き上げを図ること、等を意図する。
【００１２】
請求項２は、請求項１に記載の垂木安定凹部に、略平坦な底部と、この底部の略中心に略アーチ形の逃がし部を形成したことを特徴とするきき幅調整可能とした塀瓦である。
【００１３】
【発明の実施の形態】
イ）  垂木と、塀瓦の丸瓦部とのし瓦部の長手方向の両側部にそれぞれ設けた垂木受け部と、この垂木受け部（以下、原則として、長手方向の片側で説明する）に設けた垂木安定凹部との関係を説明する。図５（イ）、（ロ）は、請求項２の例であり、底部に略アーチ形の逃がし部を形成する構成である。この塀瓦は、垂木安定凹部の底部の両角に垂木上面の両肩が二点衝止（二点支持）することで、軒先方向のグラつきがなく安定的に嵌合される。従って、垂木安定凹部及び／又は垂木に少々の歪み、変形等が生じた場合においても、この二点支持を介してガタつき、又は傾き等の弊害を解消できる等の特徴がある。
【００１４】
ロ）  塀瓦は、万十軒瓦部裏の一対の窪みはブロック構造等の塀本体の上端に当接載置される構成で、施工の簡略化と整然とした仕上がりに寄与できる。
【００１５】
ハ）  塀瓦（一方の塀瓦）の垂木安定凹部を、垂木に嵌め込み、当該一方の塀瓦の反紐側表面に丸瓦部、のし瓦部、万十軒瓦部の紐側裏面を被嵌する。この際、紐側端から内方に形成（中付け）された垂木受け外面迄の長手方向奥行き寸法範囲内で重なり長さが自在に設定でき、きき幅（塀瓦の長手方向の働き幅）の調整が可能となる。この構成は反紐棧側の表面がきき幅調整可能な寸法分を平坦に形成することで、抵抗感なくできる。尚、各塀瓦は、それぞれ釘止め固定、又は番線係止される。
【００１６】
【実施例】
以下、本発明の一例を説明する。
【００１７】
図中１は塀瓦であり、この塀瓦１は、紐を有する丸瓦部２（丸瓦部とする）の両側下方にそれぞれ設けたのし瓦部３、３（３とする）と、この各のし瓦部３には面戸部９を介して棧山６を有する万十軒瓦部４、４（万十軒瓦部４とする）が軒先方向に傾斜して対称形状に設けられている。またこの万十軒瓦部４の棧山６は丸瓦部２に対して一方は谷１０の左側に棧山６が形成されている。そして、この丸瓦部２の長手方向２ａの他方端部（反紐棧側端部）２−２と、前記のし瓦部３の長手方向３ａの他方端部３−２との裏面７−２に、垂木受け８を形成する。また丸瓦部２の長手方向２ａの端側２−１（丸瓦部２の紐５のつけ根）と、前記のし瓦３の長手方向３ａの端側３−１（のし瓦３の棧山６のつけ根）との裏面７−１に、垂木受け８を形成する。この垂木受け８、８（８とする）に、垂木安定凹部８ａ、８ａ（８ａとする）を形成する。そして垂木安定凹部８ａの両角８ｄが垂木上面の両肩に衝止し、二点支持を介して塀瓦１の軒先方向のグラつきを抑止する。またこの垂木受け８は、塀瓦１の軒先方向両側を継ぐ役目を果し、これにより丸瓦部２の形状確保と、また万十軒瓦部４の平衡性維持等の如く、本発明の塀瓦１の姿勢を整えるのに極めて有効であり、また強度の向上、全体の重量バランス等に有効である。図中１ａは塀瓦１の表面を示す。
【００１８】
前記丸瓦部２の長手方向２ａの他方端部２−２の表面２ｂと、前記万十軒瓦部４の長手方向４ａの他方端部４−２の表面４ｂと、必要によりのし瓦３の他方端部３−２の表面３ｂは、平坦構成とする。また前記垂木Ｂに被嵌される垂木受け部８の構成を説明すると、この例では、図５（イ）、（ロ）は、底部８ｂに、一本又は数本の略アーチ形の逃がし部８ｃを形成する構成である。またこの逃がし部８ｃは、三角形状、略角溝形状等も可能であり、型抜きの容易な形状とする（以下、同じ）。
【００１９】
図中１５は塀瓦１の裏面１ｂに形成された空洞で、丸瓦部２の裏面に相当する。即ち、この空洞１５は、丸瓦部２と垂木受け８と垂木安定凹部８ａの確実な成形に寄与する。また１６、１６（１６とする）は万十軒瓦部４の裏面１ｄに設けた略半月形状の窪みで、この窪み１６は、塀Ａの上端への被嵌の便を図り、施工時に塀瓦１の安定性向上に役立ち、美観の確保、工程の簡略化に貢献する。
【００２０】
図中Ｗは丸瓦部２の紐５から万十軒瓦部４の棧山６に至る側端面１１から垂木受け８の外側面１２までの長手方向長さ（奥行き寸法）を示し、他方端部２−２、３−２が潜り込む際の重なり長さが調整可能の範囲となり施工時に有効きき幅調整の役割を果す。
【００２１】
図中１７、１７（１７とする）は係止段付き部で、この係止段付き部１７は、丸瓦部２の他方端部２−２と、のし瓦部３の他方端部３−２に被嵌される。これにより、耐震、ズレ防止、葺設の容易化等が図れる。また１８は釘孔を示す。
【００２２】
【発明の効果】
請求項１の発明は、紐を有する丸瓦部の両下方側に設けたのし瓦部及び面戸部と、丸瓦部の両軒先側に傾斜して設けた棧山を有する万十軒瓦部とで形成した塀瓦であって、丸瓦部及びのし瓦部及び面戸部の長手方向の紐側端部に、垂木安定凹部を具えた垂木受けを形成し、また丸瓦部及びのし瓦部及び面戸部の長手方向の他方端部に、垂木安定凹部を具えた垂木受けを形成し、紐及び紐に連設する棧山の裏側に他方端部の丸瓦部及びのし瓦部及び面戸部及び万十軒瓦部が嵌り込む構成としたことを特徴とするきき幅調整を可能とした塀瓦である。従って、垂木受け部を、塀瓦の丸瓦部とのし瓦部の長手方向の両側端部に設ける構成を採用して、成形、焼成等の際に於いて、丸瓦部、垂木受け部等の変形防止が図れること、また両側端部に形成した２か所の垂木安定凹部が垂木の２か所に載架され長手方向の安定を確保すること、等の特徴がある。また垂木受け部に、底部と垂木安定凹部とを形成して、この底部の両角に垂木が衝止する二点支持を介して塀瓦の軒先方向のガタつき防止と、整然とした葺設が図れる利点がある。また請求項１は、丸瓦紐と万十軒瓦部を連設した構成を採用して、塀瓦の成形の容易化を図り、また形状の確保、重厚感の確保ができる等の実益がある。
【００２３】
請求項２の発明は、請求項１に記載の垂木安定凹部に、略平坦な底部と、この底部の略中心に略アーチ形の逃がし部を形成したことを特徴とするきき幅調整可能とした塀瓦である。従って、請求項１の目的を達成できること、また垂木安定部を凹部とし、この凹部を、平坦な底部と、略アーチ形の逃がし部とで構成し、当該凹部に少々の変形、縮み・拡大等した場合においても、垂木の挿入を図り、また当該凹部の底部の両肩に衝止する二点支持を介して塀瓦のガタつき、傾き等が解消できること、またしっくりした嵌合い関係が確保できること、又は塀瓦の整然とした葺き上げが図れること、等の特徴がある。
【図面の簡単な説明】
【図１】本発明の塀瓦の斜視図
【図２】本発明の塀瓦の一部欠截の平面図
【図３】図２の一部欠截の裏面図
【図４】図２の側面図
【図５】（イ）は本発明の垂木受け部を示した正面図、（ロ）はこの垂木受け部と垂木との関係を説明する正面図
【図６】本発明の塀瓦の葺設を示す要部の斜視図
【符号の説明】
１        塀瓦
１ａ        表面
１ｂ        裏面
１ｄ        裏面
２        丸瓦部
２−１      端側
２−２      他方端部
２ａ        長手方向
２ｂ        表面
３        のし瓦部
３ａ        長手方向
３ｂ        表面
３−１      端側
３−２      他方端部
４        万十軒瓦部
４ａ        長手方向
４ｂ        表面
４−２      他方端部
５        紐
６        棧山
７−１        裏面
７−２        裏面
８        垂木受け
８ａ        垂木安定凹部
８ｂ        底部
８ｃ        逃がし部
８ｄ        角
９        面戸部
１０        谷
１１        側端面
１２        外側面
１５        空洞
１６        窪み
１７        係止段付き部
１８        釘孔
Ａ        塀
Ｂ        垂木
Ｗ        調整可能範囲
【図１】
2004244904.tif 000003
【図２】
2004244904.tif 000004
【図３】
2004244904.tif 000005
【図４】
2004244904.tif 000006
【図５】
2004244904.tif 000007
【図６】
2004244904.tif 000008